(57)【要約】【課題】  部品の故障が起こり難く、使用寿命を延ばすことが可能である伸縮パイプの回転固定構造を提供する。【解決手段】  伸縮パイプ１２は、パイプセット４０と回転つまみ５０とを有する。回転固定構造１０は、固定ユニット２０と弾性ユニット３０とを有する。パイプセット４０が窪み部を少なくとも一つ有し、回転つまみ５０が開放状の収納槽５４を有してパイプセット４０に装着されている。回転つまみ５０をパイプセット４０に対して回転させる場合、収納槽５４を窪み部に繋げることが可能である。固定ユニット２０は、固定槽を有し、収納槽５４内に移動するように装着されている。弾性ユニット３０は、収納槽５４と固定槽との間に装着され、固定ユニット２０をパイプセット４０の一つの窪み部まで移動させると同時に回転つまみ５０をパイプセット４０に固定する。【選択図】    図１
0003110129.tif 000002
【実用新案登録請求の範囲】
【請求項１】
伸縮パイプは、パイプセットと回転つまみとを有し、回転固定構造は、固定ユニットと弾性ユニットとを有し、
パイプセットが窪み部を少なくとも一つ有し、回転つまみが開放状の収納槽を有してパイプセットに装着され、回転つまみをパイプセットに対して回転させる場合、収納槽を窪み部に繋げることが可能であり、固定ユニットが固定槽を有して回転つまみの収納槽内に移動するように装着され、弾性ユニットが回転つまみの収納槽と固定ユニットの固定槽との間に装着され、固定ユニットをパイプセットの一つの窪み部まで移動させると同時に回転つまみをパイプセットに固定することを特徴とする伸縮パイプの回転固定構造。
【請求項２】
固定ユニットの固定槽は、円柱形を呈することを特徴とする請求項１に記載の伸縮パイプの回転固定構造。
【請求項３】
固定ユニットの固定槽は、円錐形を呈することを特徴とする請求項１に記載の伸縮パイプの回転固定構造。
【請求項４】
固定ユニットの固定槽は、底部に凸部を有し、弾性ユニットは凸部に装着されることを特徴とする請求項１に記載の伸縮パイプの回転固定構造。
【請求項５】
伸縮パイプは、パイプセットと回転つまみとを有し、回転固定構造は、固定ユニットと弾性ユニットとを有し、
回転つまみが窪み部を少なくとも一つ有し、パイプセットが開放状の収納槽を有し、回転つまみがパイプセットに装着され、回転つまみがパイプセットに対して傾いて回転する場合、収納槽を窪み部に繋げることが可能であり、固定ユニットが固定槽を有して収納槽内に移動するように装着され、弾性ユニットがパイプセットの収納槽と固定ユニットの固定槽との間に装着され、固定ユニットを回転つまみの一つの窪み部まで移動させると同時に回転つまみをパイプセットに固定することを特徴とする伸縮パイプの回転固定構造。
【請求項６】
固定ユニットの固定槽は、円柱形を呈することを特徴とする請求項５に記載の伸縮パイプの回転固定構造。
【請求項７】
固定ユニットの固定槽は、円錐形を呈することを特徴とする請求項５に記載の伸縮パイプの回転固定構造。
【請求項８】
固定ユニットの固定槽は、底部に凸部を有し、弾性ユニットは凸部に装着されることを特徴とする請求項５に記載の伸縮パイプの回転固定構造。
【請求項９】
伸縮パイプを少なくとも一つ有し、伸縮パイプは、
窪み部を少なくとも一つ有するパイプセットと、
開放状の収納槽を有し、パイプセットに装着される回転つまみであって、回転つまみをパイプセットに対して回転させる場合、収納槽を窪み部に繋げることが可能である回転つまみと、
固定槽を有し、回転つまみの収納槽内に移動するように装着される固定ユニットと、
回転つまみの収納槽と固定ユニットの固定槽との間に装着され、固定ユニットをパイプセットの一つの窪み部まで移動させると同時に回転つまみをパイプセットに固定する弾性ユニットと、
を備えることを特徴する枝切りはさみ。
【請求項１０】
伸縮パイプを少なくとも一つ有し、伸縮パイプは、
開放状の収納槽を有するパイプセットと、
窪み部を少なくとも一つ有し、パイプセットに装着される回転つまみであって、回転つまみをパイプセットに対して回転させる場合、パイプセットの収納槽を窪み部に繋げることが可能である回転つまみと、
固定槽を有し、収納槽内に移動するように装着される固定ユニットと、
パイプセットの収納槽と固定ユニットの固定槽との間に装着され、固定ユニットを回転つまみの一つの窪み部まで移動させると同時に回転つまみをパイプセットに固定する弾性ユニットと、
を備えることを特徴する枝切りはさみ。
【考案の詳細な説明】
【技術分野】
【０００１】
本考案は、伸縮パイプに関し、特に、伸縮パイプの回転固定構造に関するものである。
【背景技術】
【０００２】
一般の伸縮パイプの構造は、パイプセットと、それに装着される回転つまみとを備える。パイプセットは、内部に圧迫装置を有し、圧迫装置は回転つまみにより回転されてパイプセットの長さを制御する。回転つまみは、通常、収納槽を有し、収納槽の中に固定ユニットと弾性ユニットとを有し、固定ユニットは凸柱を有し、弾性ユニットは凸柱の外周に装着され、固定ユニットをパイプセットまで移動させる。回転つまみがパイプセットに対して回転する場合、固定ユニットはパイプセットを押し付けながら移動する。また、パイプセットは窪み部を少なくとも一つ有し、回転つまみにより動かされる固定ユニットが弾性ユニットによりそのうちの一つの窪み部まで押し付けられることで、回転つまみをパイプセットに固定することが可能である。
【０００３】
しかし、上述の伸縮パイプの構造は、弾性ユニットが固定ユニットの凸柱の外周に装着され、弾性ユニットの弾力が固定ユニットの底部に直接作用し、固定ユニットがパイプセットと弾性ユニットにより上下から押し付けられて傾斜状を呈するため、弾性ユニットの弾力を安定させて固定ユニットを動かすことができず、回転つまみを操作する時、固定ユニットの故障が起こりやすい。さらに、固定ユニットの局部的な外周が収納槽の部分の内壁に接触するため、回転つまみが長時間でパイプセットに対して回転し、固定ユニットを収納槽内で往復移動させる場合、収納槽の内壁に応力集中現象が生じ、収納槽の構造が破壊されやすくなり、回転つまみを伸縮パイプに固定することができず、伸縮パイプの使用寿命を短縮する。
【考案の開示】
【考案が解決しようとする課題】
【０００４】
本考案の主な目的は、操作する時に部品の故障が起こり難く、かつ使用上のトラブルを減少させて使用寿命を延ばすことが可能である伸縮パイプの回転固定構造を提供することにある。
【課題を解決するための手段】
【０００５】
上述の目的を達成するため、本考案による伸縮パイプの回転固定構造では、伸縮パイプはパイプセットと回転つまみとを有し、回転固定構造は固定ユニットと弾性ユニットとを有する。その特徴は、パイプセットが窪み部を少なくとも一つ有し、回転つまみが開放状の収納槽を有してパイプセットに装着され、回転つまみをパイプセットに対して回転させる場合、収納槽を窪み部に繋げることを可能にし、固定ユニットが固定槽を有して回転つまみの収納槽内に移動するように装着され、弾性ユニットが回転つまみの収納槽と固定ユニットの固定槽との間に装着され、固定ユニットをパイプセットの一つの窪み部まで移動させると同時に回転つまみをパイプセットに固定することである。それによって、本考案は、操作する時に故障が起こり難く、かつ使用上のトラブルを減少させて使用寿命を延ばすことが可能である。
【考案を実施するための最良の形態】
【０００６】
以下、本考案の構造と効果を実施例と図面に基づいて説明する。
図１は、固定ユニットが窪み部の中に位置付けられる本考案の第一実施例の正面図である。
【０００７】
図２は、本考案の第一実施例の分解図である。
図３は、図１を３−３線で切断した断面図である。
図４は、図３に類似し、回転つまみがパイプセットに対して傾いて回転する状況を示す模式図である。
【０００８】
図５は、固定ユニットがパイプセットの端面に接触する本考案の第一実施例の正面図である。
図６は、本考案の第一実施例の使用状態を示す模式図である。
【０００９】
図７は、本考案の第二実施例における固定ユニットの断面図である。
図８は、本考案の第三実施例における固定ユニットの断面図である。
図９は、本考案の第四実施例の正面図である。
【００１０】
図１から図４に示すのは、本考案の第一実施例による伸縮パイプの回転固定構造１０である。伸縮パイプ１２はパイプセット４０と回転つまみ５０とを有し、回転固定構造１０は固定ユニット２０と弾性ユニット３０とを有する。
【００１１】
パイプセット４０は、内管４１と、それに装着される外管４２とを有する。外管４２は、軸方向に沿って内管４１に対して移動し、外管４２の底部にハンドルグリップ４３を有する。内管４１は、底部に圧迫装置（図中未表示）を有し、圧迫装置により外管４２の内管４１に対する位置を制御し、パイプセット４０の長さを変えることが可能である。ハンドルグリップ４３は、底部に端面４５を有し、端面４５は一つの扇形の凹槽４６と二つの半円球状の窪み部４８とを有する。
【００１２】
回転つまみ５０は、平面５２および平面５２に凹んでいる収納槽５４を有する。回転つまみ５０の平面５２は、中央にフック部５６を有し、フック部５６と平面５２が隣接する位置に弧状の凸部５８を有する。回転つまみ５０のフック部５６は、パイプセット４０のハンドルグリップ４３の端面４５に装着され、かつパイプセット４０の圧迫装置に連接されることで、回転つまみ５０をパイプセット４０に対して同じ場所で回転させ、圧迫装置を動かしてパイプセット４０の長さを制御することが可能である。回転つまみ５０をパイプセット４０に対して回転させる場合、収納槽５４を窪み部４８に繋げることが可能である。また、図３と図４に示すように、凸部５８は、凹槽４６内に収納され、回転つまみ５０を所定の角度内で回転させるように制御する。
【００１３】
固定ユニット２０は、円柱形を呈し、最上面が半円球状を呈し、底面に凹んでいる円柱形の固定槽２２を有し、かつ固定槽２２の周囲にリング壁２４を有する。それによって、固定ユニット２０は、回転つまみ５０の収納槽５４内に装着された場合、リング壁２４により回転つまみ５０の収納槽５４の内壁に沿って移動することが可能である。
【００１４】
弾性ユニット３０は、圧縮スプリングであり、弾性ユニット３０の一端が回転つまみ５０の収納槽５４の内壁に、他端が固定ユニット２０の固定槽２２の内壁に接触する。かつ弾性ユニット３０は、弾力により固定ユニット２０を押し付けてパイプセット４０まで移動させる。回転つまみ５０がパイプセット４０に対して回転する場合、固定ユニット２０は最上面がパイプセット４０の端面４５に接触しながら移動すると同時に窪み部４８内に押し込まれ、また、固定ユニット２０が窪み部４８内に押し込まれた場合、回転つまみ５０はパイプセット４０に固定される。
【００１５】
上述の構造により、図１と図５に示すように、回転つまみ５０がパイプセット４０に対して回転すると同時に固定ユニット２０をパイプセット４０の端面４５に沿って移動させる場合、固定ユニット２０は、最上面が端面４５または窪み部４８に接触することで、収納槽５４に沿って上下に往復移動することが可能である。また、弾性ユニット３０の一端が固定ユニット２０の内部に接触するため、固定ユニット２０が弾性ユニット３０の弾力により押し付けられてパイプセット４０の端面４５まで移動させられる場合、固定ユニット２０が傾斜状を呈することなく、弾性ユニット３０が軸方向に沿って固定ユニット２０を動かし、固定ユニット２０をスムーズに移動させることが可能である。また、固定ユニット２０がリング壁２４の外周により収納槽５４の内壁に沿って移動するため、収納槽５４の内壁に生じる応力集中現象を減少させ、収納槽５４構造の破壊を防止することが可能である。
【００１６】
図６に示すように、伸縮パイプ１２が枝切りはさみ６０のハンドルグリップに適用される場合、使用者はカットしようとする植物の高さに応じて枝切りはさみのハンドルグリップ（即ち、本実施例による伸縮パイプ１２）を適切な長さまで調整することが可能である。
【００１７】
したがって、本実施例による伸縮パイプの回転固定構造は、固定ユニットと弾性ユニットの構造と配置方法により操作する時に故障が起こり難く、かつ使用上のトラブルを減少させ、使用寿命を増加するという目的を達成することが可能である。
【００１８】
また、上述の固定ユニットの固定槽の形状をほかの形状に変更することが可能である。図７に示すように、本考案の第二実施例による伸縮パイプの回転固定構造における固定ユニット７０は、固定ユニット７０の固定槽７２の内壁が底面から中へだんだん縮小されていく円錐形を呈し、固定槽７２の底部の直径と弾性ユニット７４の外径がほぼ一致することが特徴である。また、図８に示すように、本考案の第三実施例による伸縮パイプの回転固定構造における固定ユニット７５は、固定ユニット７５の固定槽７６が底部に凸部７７を有し、弾性ユニット７８が凸部７７に装着されて固定ユニット７５を固定することが特徴である。
【００１９】
また、図９に示すように、本考案の第四実施例による伸縮パイプの回転固定構造８０は、その構成が第一実施例とほぼ同じで、パイプセット８１に収納槽８２を有し、パイプセット８１の収納槽８２内に固定ユニット８３と弾性ユニット８４とを有し、回転つまみ８５に固定ユニット８３を収納するための窪み部８６を有することが特徴である。したがって、本考案の目的を達成することが可能である。
【図面の簡単な説明】
【００２０】
【図１】本考案の第一実施例による伸縮パイプの回転固定構造の固定ユニットが窪み部の中に位置付けられる状態を示す正面図である。
【図２】本考案の第一実施例による伸縮パイプの回転固定構造を示す分解図である。
【図３】図１を３−３線で切断した断面図である。
【図４】回転つまみがパイプセットに対して傾いて回転する状況を示す図１を３−３線で切断した断面図である。
【図５】本考案の第一実施例による伸縮パイプの回転固定構造の固定ユニットがパイプセットの端面に接触する状態を示す正面図である。
【図６】本考案の第一実施例による伸縮パイプの回転固定構造の使用状態を示す模式図である。
【図７】本考案の第二実施例による伸縮パイプの回転固定構造の固定ユニットを示す断面図である。
【図８】本考案の第三実施例による伸縮パイプの回転固定構造の固定ユニットを示す断面図である。
【図９】本考案の第四実施例による伸縮パイプの回転固定構造を示す正面図である。
【符号の説明】
【００２１】
１０  回転固定構造、１２  伸縮パイプ、２０  固定ユニット、２２  固定槽、２４  リング壁、３０  弾性ユニット、４０  パイプセット、４１  内管、４２  外管、４３  ハンドルグリップ、４５  端面、４６  凹槽、４７  窪み部、５０  回転つまみ、５２  平面、５４  収納槽、５６  フック部、５８  凸部、６０  枝切りはさみ、７０  固定ユニット、７２  固定槽、７４  弾性ユニット、７５  固定ユニット、７６  固定槽、７７  凸部、７８  弾性ユニット、８０  回転固定構造、８１  パイプセット、８２  収納槽、８３  固定ユニット、８４  弾性ユニット、８５  回転つまみ、８６  窪み部
【図１】
0003110129.tif 000003
【図２】
0003110129.tif 000004
【図３】
0003110129.tif 000005
【図４】
0003110129.tif 000006
【図５】
0003110129.tif 000007
【図６】
0003110129.tif 000008
【図７】
0003110129.tif 000009
【図８】
0003110129.tif 000010
【図９】
0003110129.tif 000011